(57)【要約】  【課題】除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることのできる冷蔵庫を提供する。  【解決手段】蒸発貯水皿１５を圧縮機冷却用ファン１４の風下で且つ圧縮機３の上方に設置し、除霜水を蒸発させる熱源が圧縮機３だけであるよう配置した可燃性冷媒を使用しているもので、除霜水の蒸発を浸漬パイプ等の他の熱源を使うことなく、圧縮機３の放熱熱源だけを有効に利用して蒸発能力を向上させると共に、腐食による冷媒漏洩を抑制して安価で安全性組立性も向上させることができる。【選択図】図２
2006250466.tif 000002
【特許請求の範囲】
【請求項１】
圧縮機と、凝縮器と、ドライヤーと、キャピラリーチューブと、蒸発器と、サクションパイプとで構成された冷却システムと、圧縮機冷却用ファンと蒸発貯水皿とを機械室内に備えた冷蔵庫において、前記蒸発貯水皿を前記圧縮機冷却用ファンの風下で且つ前記圧縮機の上方に設置し、除霜水を蒸発させる熱源が前記圧縮機だけであるよう配置し、前記冷却システムに可燃性冷媒を使用した冷蔵庫。
【請求項２】
蒸発貯水皿奥部に圧縮機放熱対流用の風路を備えたことを特徴とする請求項１に記載の冷蔵庫。
【請求項３】
蒸発貯水皿内底面部に熱伝導蒸発促進リブを配置し除霜水との接触面積を増加させたことを特徴とする請求項１または２に記載の冷蔵庫。
【請求項４】
蒸発貯水皿底部の壁厚を１ｍｍ以下に構成したことを特徴とする請求項１から３のいずれか一項に記載の冷蔵庫。
【請求項５】
蒸発貯水皿と圧縮機との間に熱伝導性部材を配置していることを特徴とする請求項１から４のいずれか一項に記載の冷蔵庫。
【請求項６】
蒸発貯水皿を黒着色したことを特徴とする請求項１から５のいずれか一項に記載の冷蔵庫。
【請求項７】
ファン排気風を蒸発貯水皿内に通す蒸発促進排気ダクトを配置したことを特徴とする請求項１から６のいずれか一項に記載の冷蔵庫。
【請求項８】
蒸発貯水皿と圧縮機との間を隙間なく接触配置したことを特徴とする請求項１から７のいずれか一項に記載の冷蔵庫。
【発明の詳細な説明】
【技術分野】
【０００１】
本発明は除霜水の蒸発能力を向上させると共に、可燃性冷媒を用いたときの安全性も向上させることのできる冷蔵庫に関するものである。
【背景技術】
【０００２】
一般的に冷蔵庫は、圧縮機によって高温圧縮された冷媒をまず除霜水の蒸発貯水皿の中に配管した浸漬パイプの中に通してから凝縮器への順番で冷却システム内を循環させており、圧縮機冷却用ファンは圧縮機の傍に配置して冷蔵庫前面下部より蒸発貯水皿上方を介して冷却空気を吸い込み圧縮機を冷却しているため、浸漬パイプの放熱によって蒸発した除霜水の高湿空気は圧縮機に吹き付けながら排気することになるため、機械室内に配管レイアウトが複雑で組立作業性も困難になると共に部品点数が増加しコストアップを余儀なくされてしまう、また水中や高湿空気に曝される浸漬パイプや圧縮機周りの配管の腐食による可燃性冷媒の漏洩事故の危険性があるという欠点を有していた（例えば、特許文献１参照）。
【０００３】
図３（ａ）（ｂ）は特許文献１に記載された従来の冷蔵庫の機械室の平面断面図と機械室の正面図を示すものである。図３に示すように、冷蔵庫１の機械室２には圧縮機３によって圧縮された冷媒が浸漬パイプ４、凝縮器５、ドライヤー６を凝縮させて通過、キャピラリーチューブ７で減圧して蒸発器で蒸発し、サクションパイプ８で圧縮機３に帰るという冷却システムにおいて、圧縮機冷却用ファン９は冷蔵庫前方下部１ａから吸い込んだ冷却空気１１を圧縮機３に吹き付けるよう圧縮機３の傍に配置し、蒸発貯水皿１０は浸漬パイプ４が中に収まり圧縮機冷却用ファン９の風上に位置するよう配置されている。
【特許文献１】特開２０００−３３７７５２号公報
【発明の開示】
【発明が解決しようとする課題】
【０００４】
しかしながら、冷蔵庫において上記のような構成では、圧縮機と凝縮器との間に浸漬パイプを配管しなければならず機械室内の配管レイアウトが複雑で組立作業性も困難になると共に部品点数が増加しコストアップを余儀なくされてしまう。また、蒸発貯水皿の中で除霜水と接する浸漬パイプや高湿空気に曝される圧縮機周りの配管の腐食による可燃性冷媒の漏洩事故の危険性が高くなってしまうという課題を有していた。
【０００５】
本発明は上記課題を解決するもので、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることのできる冷蔵庫を提供することを目的とする。
【課題を解決するための手段】
【０００６】
上記従来の課題を解決するために、本発明の冷蔵庫は、圧縮機と、凝縮器と、ドライヤーと、キャピラリーチューブと、蒸発器と、サクションパイプとで構成された冷却システムと、圧縮機冷却用ファンと蒸発貯水皿とを機械室内に備えた冷蔵庫において、前記蒸発貯水皿を前記圧縮機冷却用ファンの風下で且つ前記圧縮機の上方に設置し、除霜水を蒸発させる熱源が前記圧縮機だけであるよう配置し、前記冷却システムに可燃性冷媒を使用したものである。
【０００７】
これによって、除霜水の蒸発を浸漬パイプ等の他の熱源を使うことなく、圧縮機の放熱熱源だけを有効に利用できると共に、腐食による冷媒漏洩を抑制することができる。
【発明の効果】
【０００８】
本発明の冷蔵庫は、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【発明を実施するための最良の形態】
【０００９】
請求項１に記載の発明は、圧縮機と、凝縮器と、ドライヤーと、キャピラリーチューブと、蒸発器と、サクションパイプとで構成された冷却システムと、圧縮機冷却用ファンと蒸発貯水皿とを機械室内に備えた冷蔵庫において、前記蒸発貯水皿を前記圧縮機冷却用ファンの風下で且つ前記圧縮機の上方に設置し、除霜水を蒸発させる熱源が前記圧縮機だけであるよう配置し、前記冷却システムに可燃性冷媒を使用したものであり、除霜水の蒸発を浸漬パイプ等の他の熱源を使うことなく、圧縮機の放熱熱源だけを有効に利用すると共に、腐食による冷媒漏洩を抑制して安価で安全性組立性も向上させることができる。
【００１０】
請求項２に記載の発明は、請求項１に記載の発明において、蒸発貯水皿奥部に圧縮機放熱対流用の風路を備えたものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１１】
請求項３に記載の発明は、請求項１または２に記載の発明において、蒸発貯水皿内底面部に熱伝導蒸発促進リブを配置し除霜水との接触面積を増加させたものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１２】
請求項４に記載の発明は、請求項１から３のいずれか一項に記載の発明において、蒸発貯水皿底部の壁厚を１ｍｍ以下に構成したものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１３】
請求項５に記載の発明は、請求項１から４のいずれか一項に記載の発明において、蒸発貯水皿と圧縮機との間に熱伝導性部材を配置しているものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１４】
請求項６に記載の発明は、請求項１から５のいずれか一項に記載の発明において、蒸発貯水皿を黒着色したものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１５】
請求項７に記載の発明は、請求項１から６のいずれか一項に記載の発明において、ファン排気風を蒸発貯水皿内に通す蒸発促進排気ダクトを配置したものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１６】
請求項８に記載の発明は、請求項１から７のいずれか一項に記載の発明において、蒸発貯水皿と圧縮機との間を隙間なく接触配置したものであり、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができる。
【００１７】
以下、本発明の実施の形態について、図面を参照しながら説明する。なお、この実施の形態によってこの発明が限定されるものではない。
【００１８】
（実施の形態１）
図１、図２は、本発明の実施の形態１における冷蔵庫を示すものであり、図１は本発明の実施の形態１における冷蔵庫の機械室の正面図、図２は本発明の実施の形態１における冷蔵庫の機械室の斜視図である。
【００１９】
図１において、冷蔵庫１２の機械室１３内で圧縮機３によって高温高圧に圧縮された冷媒が凝縮器５、ドライヤー６を凝縮させて通過、キャピラリーチューブ７で減圧して蒸発器で蒸発し、サクションパイプ８で圧縮機３に帰るという冷却システムを構成している。圧縮機冷却用ファン１４は冷蔵庫前方下部から吸い込んだ冷却空気１８を圧縮機３に吹き付けるよう圧縮機３の傍に配置し、蒸発貯水皿１５は圧縮機３の上方で且つ圧縮機冷却用ファン１４の風下に位置するよう配置され、蒸発貯水皿内底面部には熱伝導蒸発促進リブ１５ｂを配置し、蒸発貯水皿底部壁厚１５ｃは１ｍｍ以下になるよう構成、蒸発貯水皿１５と圧縮機３との間に熱伝導性部材１６を配置して隙間をなくして接触するよう位置決めしている。蒸発貯水皿１５の側壁にはファン排気風１８を蒸発貯水皿１５内に通す蒸発促進排気ダクト１７を配置し、圧縮機冷却用ファン１４によって吹き出される冷却空気１８を圧縮機３の冷却用の冷却空気１８ａと蒸発貯水皿１５の上方の高湿空気を排気する空気１８ｂとに分配できるようにしてある。
【００２０】
図２において、蒸発貯水皿１５奥部には機械室１３の側壁部で圧縮機３放熱対流用の風路１５ａを構成確保してあり、蒸発貯水皿１５は黒色着色してある。
【００２１】
以上のように構成された冷蔵庫について、以下その動作、作用を説明する。
【００２２】
蒸発貯水皿１５を圧縮機３上方に位置させることによって圧縮機３の放熱熱量１９を有効に利用して除霜水を蒸発させることができ、蒸発貯水皿１５奥部に設けた圧縮機放熱対流風路１５ａによって圧縮機３の放熱に対流１９を発生させて蒸発貯水皿１５内の気中温度を上昇させると共に対流１９により蒸発貯水皿１５内の飽和蒸発蒸気を排気して蒸発を促進させることができる。また、蒸発貯水皿１５内底面部の熱伝導蒸発促進リブ１５ｂによって除霜水との接触表面積を増加させて除霜水温を上昇させることができ蒸発を促進させることができる。また、蒸発貯水皿底部の壁厚１５ｃをプラスチック成形の樹脂流動限界である１ｍｍ（現時点における最薄設計であり、それ以下が望ましい）に設計してあるので、除霜水に圧縮機３の放熱熱量１９を最大限伝達して除霜水温を上昇させることができ蒸発を促進させることができる。また、蒸発貯水皿１５と圧縮機３との間の熱伝導性部材１６によって圧縮機３の放熱熱量１９を最大限伝達すると共に蓄熱保温して除霜水温を上昇させることができ蒸発を促進させることができる。また、蒸発貯水皿１５を黒色着色することで蒸発貯水皿１５の熱吸収伝導率が向上して蒸発貯水皿１５内の除霜水温を上昇させることができ蒸発を促進させることができる。また、蒸発促進排気ダクト１７でファン排気風１８の一部１８ｂを蒸発貯水皿１５内に通すことで飽和蒸発蒸気を排気して蒸発を促進させることができる。また、蒸発貯水皿１５と圧縮機３との間の隙間をなくして接触配置することで圧縮機３の放熱熱量１９を最大限伝達して除霜水温を上昇させることができ蒸発を促進させることができる。
【００２３】
これによって、除霜水の蒸発を浸漬パイプ等の他の熱源を使うことなく、圧縮機の放熱熱源だけを有効に利用して蒸発能力を向上させると共に、安価で組立性も向上させることができる。
【００２４】
また、除霜水の蒸発を浸漬パイプに替わって圧縮機の放熱熱源でまかなうため、金属と水との接触がなくなり腐食による可燃性冷媒の漏洩を抑制し安全性を向上させることができる。
【００２５】
また、蒸発貯水皿を圧縮機冷却用ファンの風下に配置したことによって圧縮機を冷却するファン排気空気は低湿空気であるため、圧縮機周りの配管の腐食による可燃性冷媒の漏洩を抑制し安全性を向上させることができる。
【産業上の利用可能性】
【００２６】
以上のように、本発明にかかる冷蔵庫は、除霜水の蒸発を浸漬パイプ等の他の熱源を使うことなく、圧縮機の放熱熱源だけを有効に利用して蒸発能力を向上させると共に、腐食による冷媒漏洩を抑制して安価で安全性組立性も向上させることができるので、冷蔵機器全般としても適用できる。
【図面の簡単な説明】
【００２７】
【図１】本発明による冷蔵庫の実施の形態１における機械室の正面図
【図２】本発明による冷蔵庫の実施の形態１における機械室の斜視図
【図３】（ａ）従来の冷蔵庫の機械室の平面断面図（ｂ）従来の冷蔵庫の機械室の正面図
【符号の説明】
【００２８】
３    圧縮機
５    凝縮器
６    ドライヤー
７    キャピラリーチューブ
８    サクションパイプ
１２  冷蔵庫
１３  機械室
１４  圧縮機冷却用ファン
１５  蒸発貯水皿
１５ａ  圧縮機放熱対流風路
１５ｂ  熱伝導蒸発促進リブ
１５ｃ  蒸発貯水皿底部壁厚
１６  熱伝導性部材
１７  蒸発促進排気ダクト
【図１】
2006250466.tif 000003
【図２】
2006250466.tif 000004
【図３】
2006250466.tif 000005